(57)【特許請求の範囲】
【請求項１】
パチンコ台、パチスロ台またはテレビゲーム機のいずれかである遊技機を、この遊技機の上端部を支持する上部支持部材と前記遊技機の下端部を支持する下部支持部材とを有する支持枠に取付けるための取付機構であって、
前記下部支持部材に取付けた前記遊技機が載置される載置台に穿設された貫通孔に、上下方向に出没自在に設けられて前記遊技機の下端部を固定する固定ピンと、
この固定ピンに係合して当該固定ピンを上昇させると共に、一端に着脱自在に設けられる回動ハンドルの操作によって回動する回動部材と、を備え、
前記回動部材は、前記載置台の前面側に露出して配置され、前記回動ハンドルに係合する係合部を有し、
前記上部支持部材には、前記遊技機の上端部を保持する固定具と、
前記支持枠に固定された枠状の支持フレームと、
この支持フレームの下面に固定され前記遊技機の上端部に対向して配設されると共に、前記固定具が挿設される挿通孔を有する上側支持プレートと、が備えられて、
当該上部支持部材が、収納空間の棚板を形成していることを特徴とする遊技機の取付機構。
【請求項２】
パチンコ台、パチスロ台またはテレビゲーム機のいずれかである遊技機の上端部を支持する上部支持部材と、前記遊技機の下端部を支持する下部支持部材とを有する遊技機用の支持枠において、
前記下部支持部材に取付けた前記遊技機が載置される載置台に穿設された貫通孔に、上下方向に出没自在に設けられて前記遊技機の下端部を固定する固定ピンと、
この固定ピンに係合して当該固定ピンを上昇させると共に、一端に着脱自在に設けられる回動ハンドルの操作によって回動する回動部材と、を備え、
前記回動部材は、前記載置台の前面側に露出して配置され、前記回動ハンドルに係合する係合部を有し、
前記上部支持部材には、前記遊技機の上端部を保持する固定具と、
前記支持枠に固定された枠状の支持フレームと、
この支持フレームの下面に固定され前記遊技機の上端部に対向して配設されると共に、前記固定具が挿設される挿通孔を有する上側支持プレートと、が備えられて、
当該上部支持部材が、収納空間の棚板を形成していることを特徴とする遊技機用の支持枠。
【請求項３】
前記固定ピンは、上端が尖った金属製の部材からなり、前記回動部材を回動させることによって、上昇して前記貫通孔から突出し、前記遊技機の下端部に圧入されて、前記遊技機を前記支持枠に固定することを特徴とする請求項２に記載の遊技機用の支持枠。
【請求項４】
前記回動部材は、当該回動部材の軸心からずれた位置に配設されて共に回動し、前記固定ピンを上昇させる偏心軸を備えていることを特徴とする請求項２または請求項３に記載の遊技機用の支持枠。
【請求項５】
前記回動部材は、当該回動部材に共に回動し、前記固定ピンの下端に当接して上昇させるカムを備えていることを特徴とする請求項２または請求項３に記載の遊技機用の支持枠。
【請求項６】
前記上部支持部材には、前記上側支持プレート上に載置されると共に前記支持フレームに嵌入され、かつ、前記固定具の頭部が係合する係合孔が穿設された蓋板が備えられていることを特徴とする請求項２ないし請求項５のいずれか一項に記載の遊技機用の支持枠。
【請求項７】
前記下部支持部材の下面には、出没自在なテーブルが設置されていることを特徴とする請求項２ないし請求項６のいずれか一項に記載の遊技機用の支持枠。
【発明の詳細な説明】
【技術分野】
【０００１】
本発明は、パチスロ台や、パチンコ台や、テレビゲーム機等の遊技機が固定される遊技機用の支持枠および遊技機の取付機構に関する。
【背景技術】
【０００２】
従来からパチンコ台やパチスロ台やテレビゲーム機等の遊技機は、遊技場に配設された支持枠に取付けるとき、支持枠の上部支持部材と下部支持部材との間に挿入し、上部支持部材の上方から遊技機の台枠の上端面に複数の釘を打ち込むと共に、その台枠の内底から下部支持部材の上面に複数の釘を打ち込むことによって支持枠に固定されている（例えば、特許文献１参照）。
【特許文献１】特許第２７７４２９０号公報（第２図および第３図）
【発明の開示】
【発明が解決しようとする課題】
【０００３】
しかしながら、前記した特許文献１の遊技機は、作業者が支持枠に取付ける際に、その都度、台枠のロック部材を被係合片から解除して遊技機を台枠から開放状態にした後、台枠の内底から下部支持部材の上面に釘を打ち込まなければならない。
このため、作業者は、遊技機の下端部を下部支持部材に固定する場合、１台ごとにロック部材を被係合片から解除して遊技機を台枠から開放してから釘を打ち込まなければならず、作業工数が多く、手間と取付け時間がかかり、作業効率が悪いという問題があった。
【０００４】
このような支持枠は、遊技機の上端部と下端部とを支持枠に固定する際、多数の釘を打ち込んで固定しているため、釘の本数に伴って、釘打ち作業に工数と時間がかかり、遊技機の取付け作業の作業性が悪いという問題点があった。
【０００５】
その結果、支持枠に設置されている遊技機を新台と交換する際にも、同様に、古い遊技機の下端部を支持枠の下部支持部材から取外すのに、１台ごとにロック部材を被係合片から解除し遊技機を台枠から開放してから遊技機を取外さなければならないため、新台の交換作業の作業性が悪いという問題点があった。
【０００６】
また、遊技機の上端部および下端部と、支持枠の上部支持部材および下部支持部材とは、釘が没入するように完全に打ち込むことによってしっかりと固定しているため、遊技機を支持枠から取外す際に、釘が抜き難いという問題点があった。
【０００７】
本発明の課題は、遊技機を支持枠に確実に支持でき、かつ、容易に着脱できる遊技機用の支持枠および遊技機の取付機構を提供することにある。
【課題を解決するための手段】
【０００８】
前記課題を解決するために、請求項１に記載の遊技機の取付機構は、パチンコ台、パチスロ台またはテレビゲーム機のいずれかである遊技機を、この遊技機の上端部を支持する上部支持部材と前記遊技機の下端部を支持する下部支持部材とを有する支持枠に取付けるための取付機構であって、前記下部支持部材に取付けた前記遊技機が載置される載置台に穿設された貫通孔に、上下方向に出没自在に設けられて前記遊技機の下端部を固定する固定ピンと、この固定ピンに係合して当該固定ピンを上昇させると共に、一端に着脱自在に設けられる回動ハンドルの操作によって回動する回動部材と、を備え、前記回動部材は、前記載置台の前面側に露出して配置され、前記回動ハンドルに係合する係合部を有し、前記上部支持部材には、前記遊技機の上端部を保持する固定具と、前記支持枠に固定された枠状の支持フレームと、この支持フレームの下面に固定され前記遊技機の上端部に対向して配設されると共に、前記固定具が挿設される挿通孔を有する上側支持プレートと、が備えられて、当該上部支持部材が、収納空間の棚板を形成していることを特徴とする。
【０００９】
請求項２に記載の遊技機用の支持枠は、パチンコ台、パチスロ台またはテレビゲーム機のいずれかである遊技機の上端部を支持する上部支持部材と、前記遊技機の下端部を支持する下部支持部材とを有する遊技機用の支持枠において、前記下部支持部材に取付けた前記遊技機が載置される載置台に穿設された貫通孔に、上下方向に出没自在に設けられて前記遊技機の下端部を固定する固定ピンと、この固定ピンに係合して当該固定ピンを上昇させると共に、一端に着脱自在に設けられる回動ハンドルの操作によって回動する回動部材と、を備え、前記回動部材は、前記載置台の前面側に露出して配置され、前記回動ハンドルに係合する係合部を有し、前記上部支持部材には、前記遊技機の上端部を保持する固定具と、前記支持枠に固定された枠状の支持フレームと、この支持フレームの下面に固定され前記遊技機の上端部に対向して配設されると共に、前記固定具が挿設される挿通孔を有する上側支持プレートと、が備えられて、当該上部支持部材が、収納空間の棚板を形成していることを特徴とする。
【００１０】
請求項１および請求項２に記載の本発明によれば、遊技機を支持枠に取付ける際には、まず、遊技機を上部支持部材と下部支持部材との間に挿入し、載置台上に載置する。次に、上部支持部材の上方から遊技機の上端部に、例えば、従来のように釘等の固定具を打ち込んで遊技機の上端部を支持枠の上部支持部材に固定する。そして、遊技機の下端部は、回動ハンドルを回動部材の一端に装着して回動操作すると、固定ピンが、載置台の貫通孔から上方向に突出し、遊技機の下端部に圧入して保持する。これにより、遊技機は、支持枠の載置台上に、固定ピンによってしっかりと確実に支持される。特に、遊技機の下端部を支持枠の下部支持部材に固定する際には、遊技機の本体枠を開放せずに、回動ハンドルを回動させるだけで、回動部材が回動して固定ピンを貫通孔から突出させ、遊技機を上部支持部材と下部支持部材との間に固定できる。このため、遊技機を支持枠に取付ける際に、その都度行っていた遊技機の本体枠を開放する作業が不用となる。
また、固定ピンによって遊技機を上部支持部材と下部支持部材との間に固定する際には、載置台の前面側に露出して配置された係合部に回動ハンドルを係合させて回動操作すると、回動部材が共に回動して固定ピンを押し上げ、固定ピンが遊技機の下端部に食い込むように圧入して遊技機を支持枠にしっかりと固定させる。このとき、作業者は、遊技機を台枠から開放せずに、回動ハンドルを載置台の前面側から係合部を差し込んで回動操作することにより、遊技機を載置台に容易に固定できる。
そして、遊技機を上部支持部材と下部支持部材との間に挿入して、遊技機の上端部を上部支持部材に固定する際には、固定具を上側支持プレートの挿通孔を挿通して遊技機の上端部に固定する。すると、遊技機の上端部は、固定具によって上側支持プレートに固定される。
【００１１】
請求項３に記載の遊技機用の支持枠は、請求項２に記載の遊技機用の支持枠であって、前記固定ピンは、上端が尖った金属製の部材からなり、前記回動部材を回動させることによって、上昇して前記貫通孔から突出し、前記遊技機の下端部に圧入されて、前記遊技機を前記支持枠に固定することを特徴とする。
【００１２】
請求項３に記載の本発明によれば、固定ピンは、回動部材を回動させることによって、上昇して前記貫通孔から突出し、遊技機の下端部に圧入されて、遊技機を支持枠に固定することができる。
【００１３】
請求項４に記載の遊技機用の支持枠は、請求項２または請求項３に記載の遊技機用の支持枠であって、前記回動部材は、当該回動部材の軸心からずれた位置に配設されて共に回動し、前記固定ピンを上昇させる偏心軸を備えていることを特徴とする。
【００１４】
請求項４に記載の本発明によれば、固定ピンによって遊技機を上部支持部材と下部支持部材との間に固定する際には、回動ハンドルで回動部材を回動させると、偏心軸が回動軸の軸心からずれた位置に配設されていることにより、偏心軸が軸心からずれている分だけ固定ピンが上昇する。すなわち、回動部材と偏心軸と固定ピンは、回動部材の回転運動を固定ピンの直線運動に変換するクランク機構を構成する。このため、固定ピンは、連結されている偏心軸によって上方向に押し上げられ、遊技機の下端部に食い込むように圧入されて固定される。
【００１５】
請求項５に記載の遊技機用の支持枠は、請求項２または請求項３に記載の遊技機用の支持枠であって、前記回動部材は、当該回動部材に共に回動し、前記固定ピンの下端に当接して上昇させるカムを備えていることを特徴とする。
【００１６】
請求項５に記載の本発明によれば、固定ピンによって遊技機を上部支持部材と下部支持部材との間に固定する際には、回動ハンドルで回動部材を回動させると、カムが回動して固定ピンを押し上げるので、固定ピンの上端が遊技機の下端部に食い込むように圧入されて固定する。
【００１７】
請求項６に記載の遊技機用の支持枠は、請求項２ないし請求項５のいずれか一項に記載の遊技機用の支持枠であって、前記上部支持部材には、前記上側支持プレート上に載置されると共に前記支持フレームに嵌入され、かつ、前記固定具の頭部が係合する係合孔が穿設された蓋板が備えられていることを特徴とする。
【００１８】
請求項６に記載の本発明によれば、固定具は、頭部が蓋板の係合孔に係合していることにより、蓋板に支持されて傾倒することが抑制されるため、遊技機の上端部をしっかりと固定することができる。
また、遊技機の新台の交換時に、遊技機の上端部を上部支持部材から離すときには、まず、蓋板を上側支持プレートから引き上げて取外す。このとき、蓋板は、係合孔内に固定部の頭部を係合させた状態で支持フレームに嵌入させることによって支持枠に設置しているため、蓋板から上方向に引き上げるだけで容易に外すことができる。この蓋板を外すと、固定具は、頭部が上側支持プレートの上面から突出した状態に現れるので、その頭部に工具を係止して引き上げれば、比較的容易に抜き取ることができる。
【００１９】
請求項７に記載の遊技機用の支持枠は、請求項２ないし請求項６のいずれか一項に記載の遊技機用の支持枠であって、前記下部支持部材の下面には、出没自在なテーブルが設置されていることを特徴とする。
【００２０】
請求項７に記載の本発明によれば、下部支持部材の下面には、出没自在なテーブルが設置されていることにより、そのテーブルの上にコインやパチンコ玉を入れるボックス等を載置することができる。
【発明の効果】
【００２１】
本発明の請求項１に係る遊技機の取付機構によれば、遊技機を支持枠に取付けるときの作業時間、および遊技場の新装開店や遊技機の入替えのときの設置時間を短縮して、作業の効率化が図られ、短時間で入替え作業を行うことができる。
【００２２】
本発明の請求項２に係る遊技機用の支持枠によれば、支持枠は、遊技機を載置台上に固定する際に、遊技機の本体枠を開放せずに、回動ハンドルを回動させるだけで、固定ピンが載置台から突出して遊技機の下端部に圧入し、遊技機を固定できる。このため、支持枠は、遊技機を当該支持枠に取付けるための釘打ち作業を解消して、作業工数および取付け時間を削減し、コストの低減を図ることができる。
さらに、遊技機を上部支持部材と下部支持部材との間に固定する際には、載置台の前面側の係合部に回動ハンドルを係合させて回動操作すると、固定ピンが遊技機の下端部に食い込むように圧入して遊技機を支持枠にしっかりと固定させることができる。このとき、作業者は、台枠から開放せずに、回動ハンドルを載置台の前面側から係合部を差し込んで回動操作することにより、遊技機を載置台に容易に固定できるため、遊技機を支持枠に取付ける作業を簡素化して、敏速に作業を行うことができる。
また、遊技機の上端部を上部支持部材に固定する際には、固定具を上側支持プレートの挿通孔を挿通して遊技機の上端部に固定することにより、遊技機を上側支持プレートにしっかりと固定できる。
【００２３】
本発明の請求項３に係る遊技機用の支持枠によれば、回動部材を回動させることによって、固定ピンが貫通孔から突出して遊技機の下端部に圧入されるので、遊技機を支持枠に容易に固定することができる。
【００２４】
本発明の請求項４に係る遊技機用の支持枠によれば、支持枠は、遊技機を固定する際に、回動ハンドルで回動部材を回動させることだけで、偏心軸が固定ピンを押し上げ遊技機の下端部に圧入させて遊技機を支持枠に固定するため、遊技機を支持枠に容易に取付けことができる。このため、遊技機を支持枠に取付ける作業時間を短縮して、遊技機の取付け作業の作業効率を向上させることができる。
【００２５】
本発明の請求項５に係る遊技機用の支持枠によれば、支持枠は、遊技機を固定する際に、回動ハンドルで回動部材を回動させることだけで、カムが固定ピンを押し上げて遊技機の下端部に圧入させることによって、遊技機を容易に固定できる。これにより、遊技機を支持枠に取付ける作業時間を短縮させて、作業労力を軽減し、遊技機の取付け作業の作業効率を向上させることができる。
【００２６】
本発明の請求項６に係る遊技機用の支持枠によれば、固定具は、頭部が蓋板の係合孔に係合し、蓋板に支持されることにより、遊技機の上端部に傾倒しないように保持されるため、遊技機を支持枠にがたつきなく固定できる。
また、支持枠は、固定具を工具等によって容易に引く抜くことができるので、遊技機の新台の交換時に、遊技機を支持枠からスピーディに取外すことを可能にするため、遊技機の新台交換時の遊技機の取外し時間を短縮して、作業の効率化を図ることができる。
【００２７】
本発明の請求項７に係る遊技機用の支持枠によれば、支持枠は、下部支持部材の下面にテーブルが設置されていることにより、遊技機を使用する際に、テーブルを引き出したり、収納したりして、必要に応じて使用できるので、便利である。
【発明を実施するための最良の形態】
【００２８】
次に、本発明に係る遊技機用の支持枠および遊技機の取付機構を図１〜図６を参照して、詳細に説明する。
図１は、遊技機用の支持枠および遊技機の取付機構を示す分解斜視図である。図２は、遊技機用の支持枠および遊技機の取付機構を示す分解側面図である。
【００２９】
≪遊技機の構成≫
図１および図２に示す遊技機１は、例えば、パチンコ台、パチスロ台またはテレビゲーム機等であり、前面部に、この遊技機１を操作するための操作器１１等が備えられた本体が設置され、後面部側に木製の台枠（図示せず）が設置されている。この遊技機１は、遊技場に設けられる支持枠２にそれぞれ水平に設けられた上部支持部材２２と下部支持部材２３との間に挿入して、下部支持部材２３の載置台８上に載置し、後記する固定具Ｎと固定ピンＰ１とによって支持枠２に固定される。
遊技機１は、正面視して長方形に形成されており、例えば、その上端部１ａの２箇所に固定具Ｎが固定される上部固定穴１ｃが形成され、下端部１ｂの１箇所に固定ピンＰ１が圧入される下部固定穴１ｄが形成されている。
【００３０】
なお、上部固定穴１ｃおよび下部固定穴１ｄは、固定具Ｎおよび固定ピンＰ１を圧入する前に工具等によって形成しても、固定具Ｎおよび固定ピンＰ１を圧入することによって形成しても、どちらであってもよい。
また、上部固定穴１ｃおよび下部固定穴１ｄは、遊技機１に上部固定穴１ｃおよび下部固定穴１ｄを形成する箇所が金属等の硬い部材で形成されている場合、予め上部固定穴１ｃおよび下部固定穴１ｄを形成しておき、また、木材のように比較的柔らかい材料で形成されている場合、予め上部固定穴１ｃおよび下部固定穴１ｄを形成しておかず、固定具Ｎおよび固定ピンＰ１を圧入することによって形成してもよい。
【００３１】
≪支持枠の構成≫
支持枠２は、遊技機１を所定の高さの位置に保持させるためのものであり、遊技場の床面に固定される。この支持枠２は、遊技機１の上端部１ａを支持する上部支持部材２２と、下端部１ｂを支持する下部支持部材２３とを有する枠本体２１を主に備え、それぞれの角材や補強板（図示せず）をボルト・ナット等の締結部材（図示せず）によって連結されている。
【００３２】
枠本体２１は、支持枠２の骨格を形成する部材であり、例えば、断面コ字状の金属製フレームや金属製板材等によって形成されている。なお、この枠本体２１の材質等は特に限定されず、木製の角材等であってもよい。以下、本発明の実施形態として、枠本体２１を金属製フレームで形成した場合の一例を説明する。
枠本体２１は、前後の左右に設けられた支柱フレーム２４，２５，２６，２７と、右側の支柱フレーム２４，２６と左側の支柱フレーム２５，２７とをそれぞれ接続する取付フレーム２８，２８と、前側の支柱フレーム２４，２５と後側の支柱フレーム２６，２７とをそれぞれ接続する連結フレーム２９，２９と、取付フレーム２８に所定間隔を介して下側に水平に配設された上部支持部材２２と、この上部支持部材２２から遊技機１の略高さ分の間隔（遊技機設置空間Ｂ）を介して水平に配設された下部支持部材２３と、を主に備えて構成されている。
【００３３】
図１に示すように、支柱フレーム２４〜２７は、左右の２本で遊技機１を支持するものである。
前側左右の支柱フレーム２４，２５の略中央部には、貸出機を挿設するための側面開口凹部２４ａ，２５ａが形成されている。この前側の支柱フレーム２４，２５間には、上端部内側に架設された取付フレーム２８と、この取付フレーム２８の前側に蝶番によって開閉自在に軸支された幕板３１と、この幕板３１の下側に配置された化粧板３２と、この化粧板３２の下方から収納空間Ａを介して、かつ、支柱フレーム２４，２５から後方向に片持ち梁状に配設された上部支持部材２２と、前記連結フレーム２９と、前記下部支持部材２３と、が設置されている。なお、後側左右の支柱フレーム２６，２７間にも、同様に、取付フレーム２８と、幕板３１と、化粧板３２と、連結フレーム２９等が設置されている。
【００３４】
図３は、遊技機用の支持枠および遊技機の取付機構を示す正面図である。
図３に示す幕板３１内には、ナンバーランプＬ等に接続したコードや各種の電気機器（図示せず）が設置されて、その幕板３１を開くことによって、電気機器の修理等が行えるようになっている（図２参照）。
化粧板３２とこの化粧板３２の下方に設置され棚の役目を果す上部支持部材２２との間には、例えば、パチスロ機のコインやパンチンコ機のパチンコ玉を入れための箱を載置するための収納空間Ａが形成されている。
【００３５】
≪上部支持部材の構成≫
図１および図２に示すように、上部支持部材２２は、遊技機１の上端部１ａを支持枠２に固定すると共に、収納空間Ａの棚板を形成するための部材であり、枠状の支持フレーム４と、この支持フレーム４の下面に設置される上側支持プレート５と、支持フレーム４内に挿入され上側支持プレート５に載置される蓋板６と、上側支持プレート５の挿通孔５ａを挿通して遊技機１に固定される固定具Ｎとから構成されている。
なお、支持フレーム４と上側支持プレート５と蓋板６とは、それぞれ別々の部材によって形成されているが、厚板によって一体に形成したものであってもよい。
【００３６】
支持フレーム４は、平面視して長方形の枠状に組み付けられた骨格からなり、左右の前端部が前側の支柱フレーム２４，２５にねじ部材（図示せず）等によって固定されている。この支持フレーム４には、遊技機１の上端部１ａに対向する下面に上側支持プレート５が設置され、この上側支持プレート５に挿設された固定具Ｎによって遊技機１の上端部１ａが保持されている。なお、支持フレーム４は、例えば、ステンレス鋼等の金属によって形成されている。
【００３７】
上側支持プレート５は、固定具Ｎが挿通される複数の挿通孔５ａを穿設した比較的薄いステンレス鋼等の金属製板部材からなり、支持フレーム４の下面に図示しないねじ部材によって固定される。
なお、前記挿通孔５ａと、遊技機１の上部固定穴１ｃと、蓋板６の係合孔６ａとは、同じ固定具Ｎが挿通できるように一直線上に形成されている。
【００３８】
固定具Ｎは、遊技機１の上端部１ａを支持枠２に固定するための部材であり、例えば、２本のねじからなる。なお、この固定具Ｎは、挿通孔５ａに挿通して遊技機１の上端部１ａに固定できるものであればよく、例えば、釘やピン等であってもよい。以下、本発明の実施形態は、固定具Ｎをねじとした場合を説明する。
固定具Ｎは、ねじ部が上側支持プレート５の挿通孔５ａを挿通して遊技機１の上部固定穴１ｃに螺着され、頭部が蓋板６の係合孔６ａに遊嵌される。
蓋板６は、四角形の支持フレーム４の枠内に嵌合される金属製の板材からなり、例えば、支持フレーム４の厚さと同じ厚さのステンレス鋼板から形成されている。
【００３９】
≪下部支持部材の構成≫
図１および図２に示すように、下部支持部材２３は、遊技機１を載置して下端部１ｂを固定するための棚状の部材であり、上部支持部材２２からその下方に遊技機設置空間Ｂを介して支柱フレーム２４，２５に水平に配設されている。この下部支持部材２３は、例えば、遊技機１の下端部１ｂに対向して設置された載置台８と、この載置台８に穿設された貫通孔８ａに出没自在に挿設されて遊技機１の下端部１ｂに圧入することによって、遊技機１を固定するための固定ピンＰ１と、この固定ピンＰ１を上昇させるための回動部材７と、物を載せるためのテーブルＴと、このテーブルＴを載置台８に支持するためのテーブル支持部材９と、を備えている。
【００４０】
載置台８は、長方形の略板状部材からなり、前側左右の支柱フレーム２４，２５間に水平に配設されている。この載置台８は、前側の支柱フレーム２４，２５と後側に支柱フレーム２６，２７とを連結する図示しない下側連結フレームを支柱フレーム２４，２５にねじ止めし、その上に支持することによって支持枠２に固定されている。この載置台８の略中央部には、固定ピンＰ１が出没自在に挿設される貫通孔８ａが上下方向に向けて垂直に穿設されている。
【００４１】
図４は、遊技機用の支持枠および遊技機の取付機構を示す図であり、（ａ）は遊技機を支持枠に固定する前の状態を示す要部拡大断面図、（ｂ）は遊技機を支持枠に固定したときの状態を示す要部拡大断面図である。
【００４２】
図４（ａ）、（ｂ）に示すように、載置台８は、例えば、枠状の骨格を形成する載置フレーム８１と、この載置フレーム８１の上面に設置されたステンレス鋼等の金属板によって形成された載置プレート８２とから主に構成されている。
【００４３】
≪固定ピンの構成≫
図４（ａ）、（ｂ）に示すように、固定ピンＰ１は、遊技機１の下端部１ｂ（下端面）に形成された下部固定穴１ｄに圧入されて、遊技機１を支持枠２の下部支持部材２３に固定させるための部材であり、例えば、１本のピンからなる。この固定ピンＰ１は、上端が下部固定穴１ｄに圧入し易くするために尖って形成された金属製の略棒状部材からなり、下端に回動部材７の偏心軸７ａが回動自在に連結される連結孔を有している。固定ピンＰ１は、回動部材７を回動ハンドルＨで回動させることによって、上昇して貫通孔８ａから突出し遊技機１の下端部１ｂに圧入するようになっている。
【００４４】
≪回動部材の構成≫
図５は、回動部材を示す図であり、（ａ）は固定ピンが下降しているときの状態を示す斜視図、（ｂ）は固定ピンが上昇したときの状態を示す斜視図である。
【００４５】
図５（ａ）、（ｂ）に示すように、回動部材７は、回動ハンドルＨ（図４参照）の回動操作によって回動させられることによって、偏心軸７ａに連結された固定ピンＰ１を上昇させ、固定ピンＰ１の上端を下部支持部材２３の上面から突出させるためのものであり、例えば、往復クランク機構から構成されている。
この回動部材７は、載置台８（下部支持部材２３）の前側側面に水平に穿設された貫通孔８ａに回動自在に設置される円柱部７ｄ，７ｅと、回動ハンドルＨの装着部Ｈａが係合する係合部７ｃと、円柱部７ｄと円柱部７ｅとの間に介在され回動軸７ｂに偏心した位置に設置された偏心軸７ａと、固定ピンＰ１とを主に備えている。この回動部材７は、前端部に、載置台８の前面部に配置され、回動ハンドルＨの装着部Ｈａが係合する係合部７ｃを有し、後端部に、固定ピンＰ１を上昇させるための偏心軸７ａを有している。
【００４６】
図６は、遊技機用の支持枠および遊技機の取付機構における回動部材と固定ピンとの関係を示す図であり、（ａ）は遊技機を固定ピンによって支持枠に固定する前の状態を示す要部拡大断面図、（ｂ）は回動部材を回動操作しているときの状態を示す要部拡大断面図、（ｃ）は遊技機を固定ピンによって支持枠に固定したときの状態を示す要部拡大断面図である。
【００４７】
回動部材７は、回動ハンドルＨの装着部Ｈａを係合部７ｃに挿入して、図６（ａ）、（ｂ）、（ｃ）に示すように、例えば、円柱部７ｄ，７ｅを矢印Ｃの時計回り方向に９０度回動すれば、クランク機構によって、固定ピンＰ１の上端が貫通孔８ａに案内されて矢印Ｄの上方向に移動して下部固定穴１ｄ内に突き刺すように圧入されるように構成されている。
【００４８】
偏心軸７ａは、回動部材７が回動したときに、軸心Ｏを中心として回動して連結した固定ピンＰ１を上下方向に移動させるための部材であり、例えば、金属製の丸棒からなる。この偏心軸７ａは、軸心Ｏから偏心した位置に、軸心Ｏに対して平行に設置され、一端が円柱部７ｄの後側側面に固定され、他端が円柱部７ｄの前側側面に固定されている。
【００４９】
円柱部７ｄ，７ｅは、載置台８の前面部に形成された設置穴８ｂに回動自在に設置され、回動ハンドルＨを回動することにより、軸心Ｏを中心として回動する円柱形状の部材であり、偏心軸７ａによって連結されて一体に回動する。
【００５０】
係合部７ｃは、図３（ａ）、（ｂ）に示すように、回動ハンドルＨで回動部材７を回動するときに、回動ハンドルＨの装着部Ｈａが係合する部分であり、装着部Ｈａの形状に合わせて形成されている。この係合部７ｃは、円柱部７ｄの前面に形成されている。
【００５１】
≪テーブルの構成≫
図４（ａ）、（ｂ）に示すように、テーブルＴは、コインやパチンコ玉を入れる箱等を載置するための引き出しであり、例えば、比較的厚い板材によって形成されている。このテーブルＴは、下部支持部材２３の下面とテーブル支持部材９との間に、前後方向に進退自在に配設されている。このテーブルＴの前端部には、遊技者が手を掛けて引き出すため把手Ｔａが形成され、後端部には、テーブルＴを引き出したときに、下部支持部材２３に係止するストッパＴｂが形成されている。
テーブル支持部材９は、載置台８の下側に配設されると共に、前側左右の支柱フレーム２４，２５間に介設される部材である。このテーブル支持部材９の下には、図３に示すように、腰板３３が設置されている。
【００５２】
このようにして、支持枠２に取付けられる遊技機１は、図３に示すように、遊技場の設置スペースに合わせて適宜に横方向に複数台並べて設置される。
なお、支持枠２は、枠本体２１の前面部のみに遊技機１を設置した例を挙げて説明したが、前後の両面に上部支持部材２２、下部支持部材２３、取付フレーム２８、幕板３１、化粧板３２、遊技機１、および腰板３３を取付けことができるように前後方向に略対称形状に形成して、後側の支柱フレーム２６，２７間にも、前側の支柱フレーム２４，２５と同様に下部支持部材２３、回動部材７、遊技機１等を設置してもよい。
【００５３】
≪遊技機用の支持枠および遊技機の取付機構の作用≫
次に、本発明に係る遊技機用の支持枠２および遊技機１の取付機構の作用を、図１〜図６を参照して説明する。
遊技場に遊技機１を設置する場合には、まず、図１に示すような状態に組み立てられた支持枠２を床面に設置する。
【００５４】
次に、図１および図２に示すように、貸出機（図示せず）等を設置して、遊技機１を遊技機設置空間Ｂ（図１および図２参照）に挿入して載置台８に載置する。
遊技機１を設置する際に、固定ピンＰ１が貫通孔８ａから載置台８の上面に突出している場合には、回動ハンドルＨの装着部Ｈａを回動部材７の係合部７ｃに係合して回動すれば、固定ピンＰ１が下降して貫通孔８ａ内に没入する。
【００５５】
図１に示すように、遊技機設置空間Ｂに挿入された遊技機１は、上部支持部材２２と下部支持部材２３との間に介在され、上部支持部材２２と下部支持部材２３とによって上下方向に移動しないように支持される。さらに、遊技機１は、左右前側の支柱フレーム２４，２５間に介在され、支柱フレーム２４，２５によって左右方向に移動しないように支持される。
【００５６】
そして、上側支持プレート５の上側から固定具Ｎを各挿通孔５ａに挿通し遊技機１の上部固定穴１ｃに螺着して、遊技機１の上端部１ａ（上面）を上側支持プレート５に固定する。このとき、固定具Ｎの頭部は、上側支持プレート５の上面から少し突出した状態にしておく。続いて、蓋板６の係合孔６ａを固定具Ｎの頭部に係合して、その頭部を係合孔６ａ内に没入させると共に、蓋板６を支持フレーム４内に挿入する。
【００５７】
その結果、固定具Ｎは、下端が、遊技機１の上部固定穴１ｃに螺着され、中央部が、上側支持プレート５の挿通孔５ａに保持され、上端（頭部）が、蓋板６の係合孔６ａに支持されることにより、遊技機１を支持枠２に対して水平方向に移動しないように固定する。
【００５８】
次に、回動ハンドルＨの装着部Ｈａを回動部材７の係合部７ｃに挿入して、回動ハンドルＨを回動操作することによって回動部材７を約９０度時計回り方向に回動させる。すると、回動部材７は、図４（ａ）、図５（ａ）、および図６（ａ）に示すように、固定ピンＰ１を貫通孔８ａ内に没入している状態から、図５（ｂ）に示すように、軸心Ｏを中心として矢印Ｃ方向に回動して、図４（ｂ）、図５（ｂ）、および図６（ｃ）に示すように、固定ピンＰ１の上端を載置台８上から突出させて遊技機１の下部固定穴１ｄ内に圧入させる。
【００５９】
固定ピンＰ１は、下端が載置台８に挿設された回動部材７に支持されて、中央部が載置台８の貫通孔８ａに支持され、上端が遊技機１の下部固定穴１ｄに食い込むように圧入されていることにより、遊技機１を支持枠２の載置台８にしっかりと固定する。
【００６０】
図１に示すように、遊技機１は、上部支持部材２２と下部支持部材２３との間に挿入されて挟持されると共に、上端部１ａが固定具Ｎによって上側支持プレート５に固定されて、下端部１ｂが固定ピンＰ１によって載置台８に固定され、さらに、左右の支柱フレーム２４，２５によって挟持されて、支持枠２にしっかりと固定される。
【００６１】
特に、遊技機１の下端部１ｂを固定する際には、回動ハンドルＨで回動操作するだけで、容易に固定することができ、遊技機１を支持枠２に取付ける作業時間を大幅に短縮することができる。
また、遊技機１の下端部１ｂは、１本の固定ピンＰ１によって支持枠２に固定されることにより、最小限の本数で固定できるため、締結部材の本数を削減して、取付時間、部品点数およびコストを削減することができる。
【００６２】
なお、その遊技機１を使用する遊技者は、支持枠２にテーブルＴが設置されていることにより、コイン等を入れる箱や、タバコ等の小物類を載置することができ、使い勝手がよく、便利である。
【００６３】
なお、本発明は、前記実施形態に限定されるものではなく、その技術的思想の範囲内で種々の改造および変更が可能であり、本発明はこれら改造および変更された発明にも及ぶことは勿論である。
【００６４】
≪変形例≫
次に、図７および図８を参照して遊技機用の支持枠２および遊技機１の取付機構の変形例を説明する。なお、前記実施形態と同一の部材には同一符号を付して説明は省略する。
図７は、遊技機用の支持枠および遊技機の取付機構の変形例を示す要部拡大断面図である。図８は、遊技機用の支持枠および遊技機の取付機構の変形例を示す図であり、（ａ）は遊技機を固定ピンによって支持枠に固定する前の状態を示す要部拡大断面図、（ｂ）は遊技機を固定ピンによって支持枠に固定したときの状態を示す要部拡大断面図である。
【００６５】
本発明の実施形態に係る遊技機用の支持枠２および遊技機１として、図５（ａ）、（ｂ）に示すように、固定ピンＰ１を上昇・下降させる手段として、偏心軸７ａと円柱部７ｄ，７ｅを備えてなるクランク機構の回動部材７を例に挙げて説明したが、本発明は、これに限定されるものではなく、カム７０ａを利用したカム機構によって固定ピンＰ２を上昇・下降するようにしてもよい（図７、図８（ａ）、（ｂ）参照）。
【００６６】
図７に示すように、固定ピンＰ２は、下部支持部材２３に回動自在に設けられた回動部材７０のカム７０ａのカム面７０ｂに当接して配設され、回動部材７０の係合部７０ｃに回動ハンドルＨの装着部Ｈａを係合させて、回動部材７０を回動させることによって載置台８０の貫通孔８０ａから突出し、遊技機１の下端部１ｂの下部固定穴１ｄに圧入されるようになっている。
【００６７】
カム７０ａは、図８（ａ）に示すように、回動部材７０と一体に回動し、カム面７０ｂに当接している固定ピンＰ２を上昇させるためのものであり、側面視して長円形に形成され、回動部材７０の軸心Ｏが偏心した位置に配設されている。このカム７０ａには、摺接する固定ピンＰ２の基端（下端）を押圧して上昇させるためのカム面７０ｂと、このカム面７０ｂに形成され固定ピンＰ２の摺動方向を案内するガイド溝７０ｄと、が形成されている。カム面７０ｂは、回動部材７０が回動したときに、固定ピンＰ２の下端面が摺接する摺接面であり、カム７０ａの外周面から一段下がったガイド溝７０ｄの内底に形成されている。
【００６８】
載置台８０は、回動可能に軸挿された回動部材７０と、支柱フレーム２４，２５に固定された長方形の枠状の載置フレーム８１と、載置フレーム８１上に載設され貫通孔８０ａを穿設した載置プレート８２と、テーブルＴと、テーブル支持部材９と、を備えている。
【００６９】
次に、図７および図８を参照して本発明に係る遊技機用の支持枠２および遊技機１の取付機構の変形例の作用を説明する。
図７に示すように、まず、固定ピンＰ２の先端が載置台８０の貫通孔８０ａに没入した状態にしてから遊技機１を載置台８０上に載置し、遊技機１の上端部１ａを前記実施形態と同様に上部支持部材２２に固定する（図１参照）。
次に、回動ハンドルＨの装着部Ｈａを回動部材７０の係合部７０ｃに挿入して、時計回り方向に約９０度回動させる。すると、回動部材７０は、図８（ａ）に示すように、軸心Ｏを中心として矢印Ｃ方向に回動し、図８（ｂ）に示すように、固定ピンＰ２の下端面が、軸心Ｏからカム面７０ｂの外周方向に一番遠い箇所と接触する位置まで回動すると、固定ピンＰ２が最上端まで移動して、下部固定穴１ｄに圧入される。
このように、固定ピンＰ２は、カム７０ａに押圧されて、上端部が載置台８０の上面から突出し、前記実施形態と同様に、遊技機１の下部固定穴１ｄ内に食い込むように圧入され、遊技機１を支持枠２にしっかりと固定する。
【００７０】
固定ピンＰ２は、回動部材７０が回動している最中、中央部が載置台８０の貫通孔８０ａに支持され、下端がガイド溝７０ｄに係合してガイドされることにより、横方向に振れることがないため、傾くことがない。
【００７１】
≪他の変形例≫
次に、図９および図１０を参照して遊技機用の支持枠２および遊技機１の取付機構の他の変形例について説明する。なお、前述した実施形態と同一部材には同一符号を付して説明は省略する。
図９は、遊技機用の支持枠および遊技機の取付機構の他の変形例を示す図であり、テーブルの設置状態を示す要部斜視図である。図１０は、遊技機用の支持枠および遊技機の取付機構の他の変形例を示す図であり、（ａ）は横断面図、（ｂ）は一部断面を有する要部正面図である。
【００７２】
本発明の実施形態に係る遊技機用の支持枠２および遊技機１の取付機構として、図３（ａ）、（ｂ）に示すように、引き出し式のテーブルＴを下部支持部材２３の下に設置したことを例に挙げて説明したが、本発明は、これに限定されるものではなく、図９に示すように、回転式のテーブルＴ１を設置したものであってもよい。
【００７３】
この場合、テーブルＴ１は、図１０（ａ）、（ｂ）に示すように、略半円形の板状部材からなり、中央部の前側縁部の上下に、軸部Ｔ１ａが設けられ、この軸部Ｔ１ａを中心として回動するように収納支持部材９０に軸支されている。このテーブルＴ１の前面部には、テーブルＴ１を収納支持部材９０から引き出すときに指をかけたり、テーブルＴ１を半円形状に収納支持部材９０から突出させたときに切欠部９０ｂに当接してストッパの役目も果したりする把手Ｔ１ｂを有する。
【００７４】
収納支持部材９０は、下部支持部材２３の下面の左右の支柱フレーム２４，２５間に設置されて、テーブルＴ１を支持枠２に回動自在に収納する部材である。この収納支持部材９０は、前面に、テーブルＴ１を出没自在に収納した正面視して長方形の開口部９０ａを有し、その開口部９０ａの中央部の縁に、軸部Ｔ１ａが垂設されている。
【図面の簡単な説明】
【００７５】
【図１】本発明に係る遊技機用の支持枠および遊技機の取付機構を示す分解斜視図である。
【図２】本発明に係る遊技機用の支持枠および遊技機の取付機構を示す分解側面図である。
【図３】本発明に係る遊技機用の支持枠および遊技機の取付機構を示す正面図である。
【図４】本発明に係る遊技機用の支持枠および遊技機の取付機構を示す図であり、（ａ）は遊技機を支持枠に固定する前の状態を示す要部拡大断面図、（ｂ）は遊技機を支持枠に固定したときの状態を示す要部拡大断面図である。
【図５】本発明に係る遊技機用の支持枠および遊技機の取付機構における回動部材と固定ピンとを示す図であり、（ａ）は固定ピンが下降しているときの状態を示す斜視図、（ｂ）は固定ピンが上昇したときの状態を示す斜視図である。
【図６】本発明に係る遊技機用の支持枠および遊技機の取付機構における回動部材と固定ピンとの関係を示す図であり、（ａ）は遊技機を固定ピンによって支持枠に固定する前の状態を示す要部拡大断面図、（ｂ）は回動部材を回動操作しているときの状態を示す要部拡大断面図、（ｃ）は遊技機を固定ピンによって支持枠に固定したときの状態を示す要部拡大断面図である。
【図７】本発明に係る遊技機用の支持枠および遊技機の取付機構の変形例を示す要部拡大断面図である。
【図８】本発明に係る遊技機用の支持枠および遊技機の取付機構の変形例を示す図であり、（ａ）は遊技機を固定ピンによって支持枠に固定する前の状態を示す要部拡大断面図、（ｂ）は遊技機を固定ピンによって支持枠に固定したときの状態を示す要部拡大断面図である。
【図９】本発明に係る遊技機用の支持枠および遊技機の取付機構の他の変形例を示す図であり、テーブルの設置状態を示す要部斜視図である。
【図１０】本発明に係る遊技機用の支持枠および遊技機の取付機構の他の変形例を示す図であり、（ａ）は横断面図、（ｂ）は一部断面を有する要部正面図である。
【符号の説明】
【００７６】
１      遊技機
１ａ    上端部
１ｂ    下端部
２      支持枠
４      支持フレーム
５      上側支持プレート
５ａ    挿通孔
６      蓋板
６ａ    係合孔
７，７０  回動部材
７ａ    偏心軸
７ｃ，７０ｃ  係合部
８，８０  載置台
８ａ，８０ａ  貫通孔
２２    上部支持部材
２３，２３Ａ，２３Ｂ  下部支持部材
Ｈ      回動ハンドル
Ｎ      固定具
Ｏ      軸心
Ｐ１，Ｐ２  固定ピン
Ｔ，Ｔ１  テーブル
【図１】
0004559947.tif 000002
【図２】
0004559947.tif 000003
【図３】
0004559947.tif 000004
【図４】
0004559947.tif 000005
【図５】
0004559947.tif 000006
【図６】
0004559947.tif 000007
【図７】
0004559947.tif 000008
【図８】
0004559947.tif 000009
【図９】
0004559947.tif 000010
【図１０】
0004559947.tif 000011